【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
少なくとも以下の混合に起因する添加剤組成物：
・ポリジオールランダム共重合体Ａ１、
・少なくとも２つのボロン酸エステル官能基を有し、少なくとも１つのエステル交換反応によって前記ポリジオールランダム共重合体Ａ１と会合可能であるランダム共重合体Ａ２、および
・１，２−ジオールおよび１，３−ジオールから選択された外因性化合物Ａ４。
【請求項２】
請求項１に記載の添加剤組成物であって、前記外因性化合物Ａ４のモル百分率は、前記ランダム共重合体Ａ２のボロン酸エステル官能基に対して、０．０２５〜５０００％の範囲である、添加剤組成物。
【請求項３】
請求項１または２のいずれかによる添加剤組成物であって、前記ランダム共重合体Ａ１は以下のモノマーの共重合：
・一般式（Ｉ）の少なくとも１種類の第１のモノマーＭ１：
【化１】
2018506620.tif 000001
［式中：
・Ｒ１は、−Ｈ、−ＣＨ３および−ＣＨ２−ＣＨ３からなる群から選択され；
・ｘは１〜１８の範囲の整数であり；
・ｙは０または１に等しい整数であり；
・Ｘ１とＸ２は同一または異なって、水素原子、テトラヒドロピラニル、メチルオキシメチル、ｔｅｒｔ−ブチル、ベンジル、トリメチルシリルおよびｔ−ブチルジメチルシリルからなる群から選択され、あるいは
・Ｘ１およびＸ２は、酸素原子とともに、下記式の架橋構造を形成し：
【化２】
2018506620.tif 000002
（式中：
−  スター（＊）は、酸素原子に対する結合を意味し、
−  Ｒ’２およびＲ’’２は、同一または異なって、水素およびＣ１−Ｃ１１アルキル基からなる群から選択される）、あるいは
・：Ｘ１およびＸ２は、酸素原子とともに、下記式のボロン酸エステルを形成し：
【化３】
2018506620.tif 000003
（式中：
−  スター（＊）は、酸素原子に対する結合を意味し、
−  Ｒ’’’２は、Ｃ６−Ｃ１８アリール基、Ｃ７−Ｃ１８アラルキル基およびＣ２−Ｃ１８アルキル基からなる群から選択される。）］
・一般式（ＩＩ）の少なくとも１種の第２のモノマーＭ２：
【化４】
2018506620.tif 000004
［式中：
・Ｒ２は、−Ｈ、−ＣＨ３および−ＣＨ２−ＣＨ３からなる群から選択され、
・Ｒ３はＣ６−Ｃ１８アリール基、Ｒ’３基で置換されたＣ６−Ｃ１８アリール基、−Ｃ(Ｏ)−Ｏ−Ｒ’３、−Ｏ−Ｒ’３、−Ｓ−Ｒ’３および−Ｃ(Ｏ)Ｎ(Ｈ)−Ｒ’３（ここでＲ’３はＣ１−Ｃ３０アルキル基）からなる群から選択される。］
に起因する、添加剤組成物。
【請求項４】
請求項３に記載の添加剤組成物であって、前記ランダム共重合体Ａ１は、少なくとも１種のモノマーＭ１と、異なる基Ｒ３を有する少なくとも２種のモノマーＭ２との共重合に起因する、添加剤組成物。
【請求項５】
請求項４に記載の添加剤組成物であって、前記ランダム共重合体Ａ１のモノマーＭ２のうちの１つは一般式（ＩＩ−Ａ）：
【化５】
2018506620.tif 000005
（式中：
・Ｒ２は、−Ｈ、−ＣＨ３および−ＣＨ２−ＣＨ３からなる群から選択され、
・Ｒ’’３はＣ１−Ｃ１４アルキル基である。）
を有し、および、前記ランダム共重合体Ａ１の別のモノマーＭ２は一般式（ＩＩ−Ｂ）：
【化６】
2018506620.tif 000006
（式中：
・Ｒ２は、−Ｈ、−ＣＨ３および−ＣＨ２−ＣＨ３からなる群から選択され、
・Ｒ’’’３はＣ１５−Ｃ３０アルキル基である。）
を有する組成物。
【請求項６】
請求項３〜５のいずれか一項による添加剤組成物であって、前記ランダム共重合体Ａ１の側鎖は、８〜２０個の炭素原子の範囲である平均長さを有している、添加剤組成物。
【請求項７】
請求項３〜６のいずれか一項による添加剤組成物であって、前記ランダム共重合体Ａ１は、１〜３０％のモル百分率で、前記共重合体の中に式（Ｉ）のモノマーＭ１を有している、添加剤組成物。
【請求項８】
請求項１〜７のいずれか一項による添加剤組成物であって、前記ランダム共重合体Ａ２は以下のモノマーの共重合：
・式（ＩＶ）の少なくとも１種のモノマーＭ３：
【化７】
2018506620.tif 000007
［式中：
・ｔは０または１に等しい整数であり；
・ｕは０または１に等しい整数であり；
・ＭとＲ８は二価の連結基であって、同一または異なって、Ｃ６−Ｃ１８アリール基、Ｃ７−Ｃ２４アラルキル基、およびＣ２−Ｃ２４アルキル基からなる群から選択され、
・Ｘは、−Ｏ−Ｃ(Ｏ)−，−Ｃ(Ｏ)−Ｏ−，−Ｃ(Ｏ)−Ｎ(Ｈ)−，−Ｎ(Ｈ)−Ｃ(Ｏ)−，−Ｓ−，−Ｎ(Ｈ)−，−Ｎ（Ｒ’４）−および−Ｏ−（ここでＲ’４は１〜１５個の炭素原子で構成される炭化水素含有鎖）からなる群から選択された官能基であり；
・Ｒ９は、−Ｈ、−ＣＨ３および−ＣＨ２−ＣＨ３からなる群から選択され；
・Ｒ１０とＲ１１は、同一または異なって水素原子、および１〜２４個の炭素原子を有する炭化水素含有基からなる群から選択される］；および
・一般式（Ｖ）の少なくとも１種の第２のモノマーＭ４：
【化８】
2018506620.tif 000008
［式中：
・Ｒ１２は、−Ｈ、−ＣＨ３および−ＣＨ２−ＣＨ３からなる群から選択され、
・Ｒ１３は、Ｃ６−Ｃ１８アリール基、Ｒ’１３によって置換されたＣ６−Ｃ１８アリール基、−Ｃ(Ｏ)−Ｏ−Ｒ’１３，−Ｏ−Ｒ’１３、−Ｓ−Ｒ’１３および−Ｃ(Ｏ)−Ｎ(Ｈ)−Ｒ’１３（ここで、Ｒ’１３はＣ１−Ｃ２５アルキル基）からなる群から選択される］
に起因する、添加剤組成物。
【請求項９】
請求項８に記載の添加剤組成物であって、前記ランダム共重合体Ａ２の一般式（ＩＶ）のモノマーの、Ｒ１０、Ｍ、Ｘ、および（Ｒ８）ｕ（ここで、ｕは０または１）が連なって形成された鎖は、８〜３８個の炭素原子総数を有している、添加剤組成物。
【請求項１０】
請求項８または９添加剤組成物であって、前記ランダム共重合体Ａ２の側鎖は、８個以上の炭素原子の平均長さを有する、添加剤組成物。
【請求項１１】
請求項８〜１０のいずれか一項による添加剤組成物であって、前記ランダム共重合体Ａ２は、前記共重合体中の式（ＩＶ）のモノマーのモル百分率が０．２５〜２０％の範囲である、添加剤組成物。
【請求項１２】
請求項１〜１１のいずれか一項による添加剤組成物であって、前記外因性化合物Ａ４は一般式（ＶＩ）：
【化９】
2018506620.tif 000009
（式中：
ｗ３は０または１に等しい整数；
Ｒ１４とＲ１５は、同一または異なって、水素原子、および１〜２４個の炭素原子を有する炭化水素含有基から形成された群から選択される）
を有する添加剤組成物。
【請求項１３】
請求項８〜１２のいずれか一項による添加剤組成物であって、前記ランダム共重合体Ａ２の式（ＩＶ）のモノマーの置換基Ｒ１０、Ｒ１１、および指数（ｔ）の値は、式（ＶＩ）の外因性化合物Ａ４の置換基Ｒ１４、Ｒ１５、および指数ｗ３の値とそれぞれ同一である、添加剤組成物。
【請求項１４】
請求項８〜１２のいずれか一項による添加剤組成物であって、前記ランダム共重合体Ａ２の式（ＩＶ）のモノマーの置換基Ｒ１０、Ｒ１１または指数（ｔ）の値の少なくとも１つは、式（ＶＩ）の外因性化合物Ａ４の置換基Ｒ１４、Ｒ１５または指数ｗ３の値とはそれぞれ異なる、添加剤組成物。
【請求項１５】
請求項１〜１４のいずれか一項による添加剤組成物であって、前記ポリジオールランダム共重合体Ａ１とランダム共重合体Ａ２の重量による比率（比率Ａ１／Ａ２）は、０．００５〜２００である、添加剤組成物。
【請求項１６】
少なくとも以下：
・潤滑油；および
・請求項１〜１５のいずれか一項に記載された添加剤組成物、
の混合に起因する潤滑剤組成物。
【請求項１７】
請求項１６に記載の潤滑剤組成物であって、前記潤滑油は、ＡＰＩ分類によるグループ１、グループ２、グループ３、グループ４およびグループ５の油、およびその混合物から選択される、潤滑剤組成物。
【請求項１８】
請求項１６または１７の潤滑剤組成物であって、前記ランダム共重合体Ａ１と前記ランダム共重合体Ａ２の重量による比率（比率Ａ１／Ａ２）は、０．００１〜１００である、添加剤組成物。
【請求項１９】
請求項１６〜１８のいずれか一項による潤滑剤組成物であって、前記外因性化合物Ａ４のモル百分率は、前記ランダム共重合体Ａ２のボロン酸エステル官能基に対して、０．０５〜５０００％の範囲である、添加剤組成物。
【請求項２０】
請求項１６〜１９のいずれか一項による潤滑剤組成物であって、さらに、清浄剤、耐摩耗添加剤、極圧剤、付加的な酸化防止剤、粘度指数向上ポリマー、流動点向上剤、消泡剤、腐食抑制剤、増粘剤、分散剤、摩擦調整剤およびこれらの混合物からなる群から選択された機能的添加剤を混合することに起因する、添加剤組成物。
【請求項２１】
潤滑剤組成物の粘度を調整する方法であって、
少なくとも以下：
・少なくとも１種の潤滑油、少なくとも１種のポリジオールランダム共重合体Ａ１、および少なくとも１種のランダム共重合体Ａ２の混合に起因して得られ、前記ランダム共重合体Ａ２は、少なくとも２つのボロン酸エステル官能基を有し、少なくとも１つのエステル交換反応によって前記ポリジオールランダム共重合体Ａ１と会合可能である潤滑剤組成物を供給する工程
・前記潤滑剤組成物へ、１，２−ジオールおよび１，３−ジオールから選択された少なくとも１種の外因性化合物Ａ４を添加する工程、
で構成される方法。
【請求項２２】
１，２−ジオールまたは１，３−ジオールから選択された少なくとも１種の化合物の、潤滑剤組成物の粘度の調整のための使用であって、前記潤滑剤組成物は、少なくとも１種の潤滑油、少なくとも１種のポリジオールランダム共重合体Ａ１、および少なくとも１種のランダム共重合体Ａ２の混合に起因して得られ、前記ランダム共重合体Ａ２は、少なくとも２つのボロン酸エステル官能基を有し、少なくとも１つのエステル交換反応によって前記ポリジオールランダム共重合体Ａ１と会合可能である、使用。
【手続補正２】
【補正対象書類名】明細書
【補正対象項目名】０３９３
【補正方法】変更
【補正の内容】
【０３９３】
組成物Ｈ（図８）については、組成物の状態が変化する温度がシフトすることが観察される。実際、組成物Ｈは１０５〜１１０℃の間の温度でゲル化し、７０℃〜７５℃の間の温度で液状に変化する。１，２−ドデカンジオール（化合物Ａ−４）により、組成物Ｈのレオロジー挙動を調整することが可能になる。
なお、本発明は、態様として以下の内容を含む。
〔態様１〕
少なくとも以下の混合に起因する添加剤組成物：
・ポリジオールランダム共重合体Ａ１、
・少なくとも２つのボロン酸エステル官能基を有し、少なくとも１つのエステル交換反応によって前記ポリジオールランダム共重合体Ａ１と会合可能であるランダム共重合体Ａ２、および
・１，２−ジオールおよび１，３−ジオールから選択された外因性化合物Ａ４。
〔態様２〕
態様１に記載の添加剤組成物であって、前記外因性化合物Ａ４のモル百分率は、前記ランダム共重合体Ａ２のボロン酸エステル官能基に対して、０．０２５〜５０００％（好ましくは０．１％〜１０００％、より好ましくは０．５％〜５００％、さらに好ましくは１％〜１５０％）の範囲である、添加剤組成物。
〔態様３〕
態様１または２のいずれかによる添加剤組成物であって、前記ランダム共重合体Ａ１は以下のモノマーの共重合：
・一般式（Ｉ）の少なくとも１種類の第１のモノマーＭ１：
【化４０】
2018506620.tif 000010
［式中：
・Ｒ１は、−Ｈ、−ＣＨ３および−ＣＨ２−ＣＨ３からなる群から選択され；
・ｘは１〜１８（好ましくは２〜１８）の範囲の整数であり；
・ｙは０または１に等しい整数であり；
・Ｘ１とＸ２は同一または異なって、水素原子、テトラヒドロピラニル、メチルオキシメチル、ｔｅｒｔ−ブチル、ベンジル、トリメチルシリルおよびｔ−ブチルジメチルシリルからなる群から選択され、あるいは
・Ｘ１およびＸ２は、酸素原子とともに、下記式の架橋構造を形成し：
【化４１】
2018506620.tif 000011
（式中：
−  スター（＊）は、酸素原子に対する結合を意味し、
−  Ｒ’２およびＲ’’２は、同一または異なって、水素およびＣ１−Ｃ１１アルキル基（好ましくはメチル）からなる群から選択される）、あるいは
・：Ｘ１およびＸ２は、酸素原子とともに、下記式のボロン酸エステルを形成し：
【化４２】
2018506620.tif 000012
（式中：
−  スター（＊）は、酸素原子に対する結合を意味し、
−  Ｒ’’’２は、Ｃ６−Ｃ１８アリール基、Ｃ７−Ｃ１８アラルキル基およびＣ２−Ｃ１８アルキル基（好ましくはＣ６−Ｃ１８アリール基）からなる群から選択される。）］
・一般式（ＩＩ）の少なくとも１種の第２のモノマーＭ２：
【化４３】
2018506620.tif 000013
［式中：
・Ｒ２は、−Ｈ、−ＣＨ３および−ＣＨ２−ＣＨ３からなる群から選択され、
・Ｒ３はＣ６−Ｃ１８アリール基、Ｒ’３基で置換されたＣ６−Ｃ１８アリール基、−Ｃ(Ｏ)−Ｏ−Ｒ’３、−Ｏ−Ｒ’３、−Ｓ−Ｒ’３および−Ｃ(Ｏ)Ｎ(Ｈ)−Ｒ’３（ここでＲ’３はＣ１−Ｃ３０アルキル基）からなる群から選択される。］
に起因する、添加剤組成物。
〔態様４〕
態様３に記載の添加剤組成物であって、前記ランダム共重合体Ａ１は、少なくとも１種のモノマーＭ１と、異なる基Ｒ３を有する少なくとも２種のモノマーＭ２との共重合に起因する、添加剤組成物。
〔態様５〕
態様４に記載の添加剤組成物であって、前記ランダム共重合体Ａ１のモノマーＭ２のうちの１つは一般式（ＩＩ−Ａ）：
【化４４】
2018506620.tif 000014
（式中：
・Ｒ２は、−Ｈ、−ＣＨ３および−ＣＨ２−ＣＨ３からなる群から選択され、
・Ｒ’’３はＣ１−Ｃ１４アルキル基である。）
を有し、および、前記ランダム共重合体Ａ１の別のモノマーＭ２は一般式（ＩＩ−Ｂ）：
【化４５】
2018506620.tif 000015
（式中：
・Ｒ２は、−Ｈ、−ＣＨ３および−ＣＨ２−ＣＨ３からなる群から選択され、
・Ｒ’’’３はＣ１５−Ｃ３０アルキル基である。）
を有する組成物。
〔態様６〕
態様３〜５のいずれか一態様による添加剤組成物であって、前記ランダム共重合体Ａ１の側鎖は、８〜２０個の炭素原子（好ましくは９〜１５個の炭素原子）の範囲である平均長さを有している、添加剤組成物。
〔態様７〕
態様３〜６のいずれか一態様による添加剤組成物であって、前記ランダム共重合体Ａ１は、１〜３０％（好ましくは５〜２５％、より好ましくは９〜２１％）のモル百分率で、前記共重合体の中に式（Ｉ）のモノマーＭ１を有している、添加剤組成物。
〔態様８〕
態様１〜７のいずれか一態様による添加剤組成物であって、前記ランダム共重合体Ａ２は以下のモノマーの共重合：
・式（ＩＶ）の少なくとも１種のモノマーＭ３：
【化４６】
2018506620.tif 000016
［式中：
・ｔは０または１に等しい整数であり；
・ｕは０または１に等しい整数であり；
・ＭとＲ８は二価の連結基であって、同一または異なって、Ｃ６−Ｃ１８アリール基、Ｃ７−Ｃ２４アラルキル基、およびＣ２−Ｃ２４アルキル基（好ましくはＣ６−Ｃ１８アリール基）からなる群から選択され、
・Ｘは、−Ｏ−Ｃ(Ｏ)−，−Ｃ(Ｏ)−Ｏ−，−Ｃ(Ｏ)−Ｎ(Ｈ)−，−Ｎ(Ｈ)−Ｃ(Ｏ)−，−Ｓ−，−Ｎ(Ｈ)−，−Ｎ（Ｒ’４）−および−Ｏ−（ここでＲ’４は１〜１５個の炭素原子で構成される炭化水素含有鎖）からなる群から選択された官能基であり；
・Ｒ９は、−Ｈ、−ＣＨ３および−ＣＨ２−ＣＨ３からなる群から選択され；
・Ｒ１０とＲ１１は、同一または異なって水素原子、および１〜２４個の炭素原子（好ましくは４〜１８個の炭素原子、より好ましくは６〜１４個の炭素原子）を有する炭化水素含有基からなる群から選択される］；および
・一般式（Ｖ）の少なくとも１種の第２のモノマーＭ４：
【化４７】
2018506620.tif 000017
［式中：
・Ｒ１２は、−Ｈ、−ＣＨ３および−ＣＨ２−ＣＨ３からなる群から選択され、
・Ｒ１３は、Ｃ６−Ｃ１８アリール基、Ｒ’１３によって置換されたＣ６−Ｃ１８アリール基、−Ｃ(Ｏ)−Ｏ−Ｒ’１３，−Ｏ−Ｒ’１３、−Ｓ−Ｒ’１３および−Ｃ(Ｏ)−Ｎ(Ｈ)−Ｒ’１３（ここで、Ｒ’１３はＣ１−Ｃ２５アルキル基）からなる群から選択される］
に起因する、添加剤組成物。
〔態様９〕
態様８に記載の添加剤組成物であって、前記ランダム共重合体Ａ２の一般式（ＩＶ）のモノマーの、Ｒ１０、Ｍ、Ｘ、および（Ｒ８）ｕ（ここで、ｕは０または１）が連なって形成された鎖は、８〜３８個（好ましくは１０〜２６個）の炭素原子総数を有している、添加剤組成物。
〔態様１０〕
態様８または９添加剤組成物であって、前記ランダム共重合体Ａ２の側鎖は、８個以上（好ましくは１１〜１６個）の炭素原子の平均長さを有する、添加剤組成物。
〔態様１１〕
態様８〜１０のいずれか一態様による添加剤組成物であって、前記ランダム共重合体Ａ２は、前記共重合体中の式（ＩＶ）のモノマーのモル百分率が０．２５〜２０％（好ましくは１〜１０％）の範囲である、添加剤組成物。
〔態様１２〕
態様１〜１１のいずれか一態様による添加剤組成物であって、前記外因性化合物Ａ４は一般式（ＶＩ）：
【化４８】
2018506620.tif 000018
（式中：
ｗ３は０または１に等しい整数；
Ｒ１４とＲ１５は、同一または異なって、水素原子、および１〜２４個の炭素原子を有する炭化水素含有基から形成された群から選択される）
を有する添加剤組成物。
〔態様１３〕
態様８〜１２のいずれか一態様による添加剤組成物であって、前記ランダム共重合体Ａ２の式（ＩＶ）のモノマーの置換基Ｒ１０、Ｒ１１、および指数（ｔ）の値は、式（ＶＩ）の外因性化合物Ａ４の置換基Ｒ１４、Ｒ１５、および指数ｗ３の値とそれぞれ同一である、添加剤組成物。
〔態様１４〕
態様８〜１２のいずれか一態様による添加剤組成物であって、前記ランダム共重合体Ａ２の式（ＩＶ）のモノマーの置換基Ｒ１０、Ｒ１１または指数（ｔ）の値の少なくとも１つは、式（ＶＩ）の外因性化合物Ａ４の置換基Ｒ１４、Ｒ１５または指数ｗ３の値とはそれぞれ異なる、添加剤組成物。
〔態様１５〕
態様１〜１４のいずれか一態様による添加剤組成物であって、前記ポリジオールランダム共重合体Ａ１とランダム共重合体Ａ２の重量による比率（比率Ａ１／Ａ２）は、０．００５〜２００（好ましくは０．０５〜２０、さらに好ましくは０．１〜１０、さらにより好ましくは０．２〜５）である、添加剤組成物。
〔態様１６〕
少なくとも以下：
・潤滑油；および
・態様１〜１５のいずれか一態様に記載された添加剤組成物、
の混合に起因する潤滑剤組成物。
〔態様１７〕
態様１６に記載の潤滑剤組成物であって、前記潤滑油は、ＡＰＩ分類によるグループ１、グループ２、グループ３、グループ４およびグループ５の油、およびその混合物から選択される、潤滑剤組成物。
〔態様１８〕
態様１６または１７の潤滑剤組成物であって、前記ランダム共重合体Ａ１と前記ランダム共重合体Ａ２の重量による比率（比率Ａ１／Ａ２）は、０．００１〜１００（好ましくは０．０５〜２０、さらに好ましくは０．１〜１０、さらにより好ましくは０．２〜５）である、添加剤組成物。
〔態様１９〕
態様１６〜１８のいずれか一態様による潤滑剤組成物であって、前記外因性化合物Ａ４のモル百分率は、前記ランダム共重合体Ａ２のボロン酸エステル官能基に対して、０．０５〜５０００％（好ましくは０．１％〜１０００％、より好ましくは０．５％〜５００％、さらに好ましくは１％〜１５０％）の範囲である、添加剤組成物。
〔態様２０〕
態様１６〜１９のいずれか一態様による潤滑剤組成物であって、さらに、清浄剤、耐摩耗添加剤、極圧剤、付加的な酸化防止剤、粘度指数向上ポリマー、流動点向上剤、消泡剤、腐食抑制剤、増粘剤、分散剤、摩擦調整剤およびこれらの混合物からなる群から選択された機能的添加剤を混合することに起因する、添加剤組成物。
〔態様２１〕
潤滑剤組成物の粘度を調整する方法であって、
少なくとも以下：
・少なくとも１種の潤滑油、少なくとも１種のポリジオールランダム共重合体Ａ１、および少なくとも１種のランダム共重合体Ａ２の混合に起因して得られ、前記ランダム共重合体Ａ２は、少なくとも２つのボロン酸エステル官能基を有し、少なくとも１つのエステル交換反応によって前記ポリジオールランダム共重合体Ａ１と会合可能である潤滑剤組成物を供給する工程
・前記潤滑剤組成物へ、１，２−ジオールおよび１，３−ジオールから選択された少なくとも１種の外因性化合物Ａ４を添加する工程、
で構成される方法。
〔態様２２〕
１，２−ジオールまたは１，３−ジオールから選択された少なくとも１種の化合物の、潤滑剤組成物の粘度の調整のための使用であって、前記潤滑剤組成物は、少なくとも１種の潤滑油、少なくとも１種のポリジオールランダム共重合体Ａ１、および少なくとも１種のランダム共重合体Ａ２の混合に起因して得られ、前記ランダム共重合体Ａ２は、少なくとも２つのボロン酸エステル官能基を有し、少なくとも１つのエステル交換反応によって前記ポリジオールランダム共重合体Ａ１と会合可能である、使用。